(57)【要約】【課題】スプールを回転可能に支持するボールベアリングの破損や変形を防止するとともに、安定したドラグ性能が得られるドラグ装置を備えた魚釣用スピニングリールを提供する。【解決手段】魚釣用スピニングリールは、スプール軸２に回転可能に支持されたスプール１の前部に形成した凹部１Ａに制動部材３０を収容し、スプール軸２の先端部に螺合される調節体２２を回転操作することで、制動部材３０の圧接力を変えてスプール軸２に対するスプール１の回転方向の摩擦結合力を調節可能とするドラグ装置２０を備えている。さらに、スプール軸２に対してスプール１を回転可能に支持するボールベアリング５と、スプール軸２と一体的に設けられ、スプールの後端部１ｄ及び／又はボールベアリング５との間に隙間Ｇが存在するように対向配置された対向部１０とを有する。【選択図】図１
2014140318.tif 000002
【特許請求の範囲】
【請求項１】
スプール軸に回転可能に支持されたスプールの前部に形成した凹部に制動部材を収容し、前記スプール軸の先端部に螺合される調節体を回転操作することで、前記制動部材の圧接力を変えてスプール軸に対するスプールの回転方向の摩擦結合力を調節可能とするドラグ装置を備えた魚釣用スピニングリールにおいて、
前記スプール軸に対してスプールを回転可能に支持するボールベアリングと、
前記スプール軸と一体的に設けられ、前記スプールの後端部及び／又は前記ボールベアリングとの間に隙間が存在するように対向配置された対向部と、
を有することを特徴とする魚釣用スピニングリール。
【請求項２】
前記ボールベアリングは、内輪が前記スプール軸に外嵌、固定される支持部材に支持されると共に、外輪が前記スプールに支持されており、
前記支持部材に前記対向部を設けたことを特徴とする請求項１に記載の魚釣用スピニングリール。
【請求項３】
前記ボールベアリングは、外輪に前記スプールの後端部が当接する鍔部を有しており、
前記鍔部と前記対向部との間に前記隙間を形成したことを特徴とする請求項１又は２に記載の魚釣用スピニングリール。
【発明の詳細な説明】
【技術分野】
【０００１】
本発明は、釣糸が巻回されるスプールの回転に抵抗力を付与するドラグ装置を備えた魚釣用スピニングリールに関する。
【背景技術】
【０００２】
従来、魚釣用スピニングリールに組み込まれているドラグ装置は、例えば、特許文献１に開示されているように、ハンドルの回転で前後動するスプール軸の先端に回転可能に支持されるスプールの前部に制動部材を収容しており、スプール軸の先端に螺合する調節ツマミを回転操作することで制動部材に押圧力を作用させ、スプール軸に対するスプールの摩擦係合力を強弱調節する構造となっている。
【０００３】
また、上記した構造のドラグ装置では、ドラグ作動時に釣糸がスムーズに引き出されるように、スプール軸に対してボールベアリング（ラジアルベアリング）を介してスプールを回転自在に支持しており、さらに、装着されるボールベアリングがドラグ締め付け時に破損等（スプールに支持される外輪に対し、ドラグ締め付けによって過度のスラスト荷重が加わることによる破損や変形）しないように、スプールの後端部は、スプール軸に固定された摩擦板（スプールの後端部が対向する対向部）に当て付いた状態で軸方向規制されている。
【先行技術文献】
【特許文献】
【０００４】
【特許文献１】特開２００７−２０２４１６号
【発明の概要】
【発明が解決しようとする課題】
【０００５】
上記した構造のドラグ装置では、調節ツマミを回転操作して制動部材を押圧する際、スプールを軸方向規制する摩擦板に対してスプール後端部も圧接しているため、スプールには、制動部材による摩擦力と、摩擦板に対するスプール後端部の摩擦力が作用する（摩擦特性が異なる複数の摩擦力が作用する）ようになる。このため、ドラグの滑り出しが安定せず悪くなってしまい、滑らかな滑り出しが要求されるドラグ制動力の小さい領域では、この影響が発生し易く、安定したドラグ性能が得られない、という問題が生じる。特に、摩擦板に対するスプール後端部の摩擦力は、スプールや摩擦板の材質・表面処理、オイル、グリス等の付着によって影響を受け易いため、よりドラグ特性が安定しなくなってしまう。
【０００６】
本発明は、上記した問題に着目してなされたものであり、スプールを回転可能に支持するボールベアリングの破損や変形を防止するとともに、安定したドラグ性能が得られるドラグ装置を備えた魚釣用スピニングリールを提供することを目的とする。
【課題を解決するための手段】
【０００７】
上記した目的を達成するために、本発明に係る魚釣用スピニングリールは、スプール軸に回転可能に支持されたスプールの前部に形成した凹部に制動部材を収容し、前記スプール軸の先端部に螺合される調節体を回転操作することで、前記制動部材の圧接力を変えてスプール軸に対するスプールの回転方向の摩擦結合力を調節可能とするドラグ装置を備えた構成において、前記スプール軸に対してスプールを回転可能に支持するボールベアリングと、前記スプール軸に一体的に設けられ、前記スプールの後端部及び／又は前記ボールベアリングとの間に隙間が存在するように対向配置された対向部と、を有することを特徴とする。
【０００８】
上記した構成の魚釣用スピニングリールによれば、スプールの前部に装着されているドラグ装置の調節ツマミを回転操作してドラグを締め付けると、スプールには、スプール軸方向に沿った負荷（リール本体側に向かう負荷）が作用するようになる。前記スプールはボールベアリングを介してスプール軸に対して回転可能に支持されていることから、ドラグ力作動時における釣糸の引き出しをスムーズにすることが可能となる。また、前記スプール軸には、対向部が一体的に設けられており、この対向部は、前記スプールの後端部及び／又は前記ボールベアリングとの間で隙間が存在するように対向配置されているため、制動力が作用し始める制動初期に、スプールに対して摩擦抵抗を与えることはなく、滑らかなドラグの滑り出し性能が得られる。また、ドラグ力を大きく設定してスプールを介してボールベアリングに大きなスラスト方向の荷重が加わっても、スプールの後端部及び／又は前記ボールベアリングと対向部との間の隙間を、接触が許容できるように設定しておくことで、ボールベアリングの破損や変形を防止することが可能となる。
【発明の効果】
【０００９】
本発明によれば、スプールを回転可能に支持するボールベアリングの破損や変形を防止することができ、安定したドラグ性能が得られるドラグ装置を備えた魚釣用スピニングリールが得られる。
【図面の簡単な説明】
【００１０】
【図１】本発明に係る魚釣用スピニングリールの第１の実施の形態を示す図であり、（ａ）は、魚釣用スピニングリールのスプール部分を示す図、（ｂ）は、主要部を拡大して示す図。
【図２】本発明に係る魚釣用スピニングリールの第２の実施の形態を示す図であり、（ａ）は、魚釣用スピニングリールのスプール部分を示す図、（ｂ）は、主要部を拡大して示す図。
【図３】本発明に係る魚釣用スピニングリールの第３の実施の形態を示す図であり、（ａ）は、魚釣用スピニングリールのスプール部分を示す図、（ｂ）は、主要部を拡大して示す図。
【図４】本発明に係る魚釣用スピニングリールの第４の実施の形態を示す図であり、（ａ）は、魚釣用スピニングリールのスプール部分を示す図、（ｂ）は、主要部を拡大して示す図。
【発明を実施するための形態】
【００１１】
以下、本発明に係る魚釣用スピニングリールの実施形態について図面を参照しながら具体的に説明する。なお、魚釣用スピニングリールは、リール本体に設けられたハンドルを巻き取り操作することでロータが回転駆動されるとともに、スプールが前後方向に往復駆動され、これによりスプールに対して、回転するロータの釣糸案内部を介して釣糸を均等に巻回する構成となっている。図面では、スピニングリールの本体構造については一般的に公知であるため省略しており、本体に装着された公知のオシレーティング機構によって回転不能に前後動されるスプール軸に装着されるスプール、及びスプールのドラグ装置部分について詳細に説明する。
【００１２】
図１は、魚釣用スピニングリールの第１の実施形態を示しており、（ａ）はスプール部分を示す図、（ｂ）は主要部を拡大して示す図である。
【００１３】
釣糸が巻回されるスプール１は、釣糸が巻回される巻回胴部１ａ、前方鍔部１ｂ及び後方円筒部（スカートとも称される）１ｃを備えた円筒形状を成しており、巻回胴部１ａの後方の径方向内側に、略円板状の支持壁（スプール後端部）１ｄが一体形成されている。そして、このスプール後端部１ｄの中央部には、開口１ｅが形成されており、この開口に図示されていないオシレート機構を介して前後方向（軸方向）に沿って往復動されるスプール軸２が挿通されている。
【００１４】
本実施形態では、前記スプール軸２に筒状の支持部材（スプールメタルとも称される）３を外嵌配設しており、この支持部材３は、支持ピン４によってスプール軸２に回り止め固定されて軸方向へ移動できないように外嵌されている。そして、支持部材３の略中央部分（支持ピン４が嵌入される部分）には、前記スプール後端部１ｄとの間にボールベアリング（軸受；ラジアルベアリング）５が設置されており、スプール１はスプール軸２に対して回転可能に支持されている。
【００１５】
なお、本実施形態では、前記スプール後端部１ｄに、開口１ｅに向けて突出する突起１ｆを形成しており、ボールベアリング５の外輪５ａのドラグ装置側を位置決めしている。また、本実施形態の支持部材３には、ボールベアリング５に対してリール本体側に、径方向外方に向けて突出するフランジ３ａが一体形成されており、このフランジ３ａの基部には、ボールベアリング５の内輪５ｂに当て付いてボールベアリング５のリール本体側を位置決めする突起３ｂが形成されている。このため、ボールベアリング５は、フランジ３ａとの間で隙間Ｇ´が生じた状態となっており、ベアリング５の回転、すなわちスプールが固定される外輪５ａの回転に影響を及ぼさないようにしている。
【００１６】
前記支持部材のフランジ３ａには、スプールクリック機構７が設置されている。このスプールクリック機構７は、フランジ３ａの径方向外方に固定されたキャップ状のバネ保持部材７ａと、バネ保持部材７ａの環状壁７ｂに形成された一対の開口７ｃによって保持された環状バネ７ｄとを備えており、環状バネ７ｄを前記スプール後端部１ｄの径方向外方に形成された環状壁１ｇの内面凹凸１ｈに係合させることで、スプール１が回転した際にクリック音を発生するようにしている。
【００１７】
また、支持部材３のフランジ３ａの径方向外方には、前記バネ保持部材７ａの環状壁７ｂに対して略垂直に屈曲する屈曲壁７ｅを挟持するようにしてリング状の制動板８が取着されている。この制動板８は、前記スプール後端部１ｄ（の後端面１ｄ´）との間で、所定の隙間Ｇを生じさせて接触可能に対向している。
【００１８】
すなわち、本実施形態では、支持部材３のフランジ３ａに制動板８が取着されて一体化しており、制動板８がスプール後端部１ｄと対向する対向部１０を構成して、スプールの後端部１ｄと対向部１０との間に、前記隙間Ｇが生じるように配置されている。
【００１９】
この場合、隙間Ｇについては、後述するドラグ装置のドラグ力調節時におけるスラスト方向の力を、前記スプール後端部の突起１ｆを介してボールベアリング５の外輪５ａが受けることから、スプール後端部１ｄ（後端面１ｄ´）が、直接、対向部１０に接触するのを防止するために設けられるのであり、好ましくは０．１ｍｍ以上あれば良い（０．１ｍｍ未満にすると、寸法管理が難しいことから、０．１ｍｍ以上確保されていれば良い）。ただし、隙間Ｇは広くなりすぎると、ドラグ力の掛かり過ぎによるスラスト方向の変形（内輪に対して外輪に加わる強いスラスト荷重；内輪と外輪を剪断するようなスラスト荷重）によって、ボールベアリング５が破損、変形する傾向が強くなることから、ある程度のスラスト荷重が加わった際、両者が接触できるように、０．２ｍｍ以下に設定しておくことが好ましい。  
なお、この隙間Ｇの値は、ドラグ力の仕様、スプールの材質、支持部の部品点数及び加工精度等によって適宜設定される。
【００２０】
すなわち、隙間Ｇに関しては、ドラグの滑り出し時（ドラグ力がゼロの状態、或いは、多少のドラグ力が作用している状態）において、スプール後端部１ｄが対向部１０に接触していない状態が確保され、かつ、ドラグ力が作用してボールベアリング５に大きな負荷が作用した際（ボールベアリングに対してスラスト方向の大きな負荷が作用した際）、その破損や変形を防止するように、スプール後端部１ｄが対向部１０に接触できるような距離となっていれば良い。このため、ドラグ力がゼロに設定されているときは、確実に両者の間には隙間が存在した状態となっている。
【００２１】
前記スプール後端部１ｄよりも前方側（スプール前部）には、凹部１Ａが形成されており、ここには、スプール１が釣糸繰り出し方向に回転した際、その回転に制動力を付与するドラグ装置２０が設置されている。
【００２２】
前記ドラグ装置２０は、凹部１Ａから前方に露出するドラグ力の調節体（以下、調節ツマミと称する）２２と、凹部１Ａ内に配設され、スプールに対して制動力を付与する摩擦制動部（制動部材）３０と、調節ツマミ２２と摩擦制動部３０との間に設置され、調節ツマミ２２を回転操作した際、摩擦制動部３０に対して軸方向の押圧力を作用させる押圧部材４０とを備えている。
【００２３】
前記調節ツマミ２２は、スプール軸２の先端部に螺合されるナット部材２３と一体化されており、調節ツマミ２２を捩じ込むと、ナット部材２３と押圧部材４０との間に配設される圧縮コイルバネ（弾性部材）４１の押圧力を介して、押圧部材４０は、摩擦制動部３０を押圧する。
【００２４】
前記摩擦制動部３０は、好ましくは多板構造を成して前記支持部材３の外周面に沿って配設されており、前記スプール後端部１ｄの前面１ｄ´´との間で所望の摩擦力（制動力）を発生するように構成されている。具体的に、摩擦制動部３０は、例えば、内周部が支持部材３に対して回り止め嵌合された金属製のワッシャ（本実施形態では、ラチェットリングを構成する）３１、支持部材３に対して回転可能に配設される金属製のワッシャ３２、内周部が支持部材３に対して回り止め嵌合された金属製のワッシャ３３、及びこれらの間に介在されるライニング材３５を備えている。そして、前記押圧部材４０が、調節ツマミ２２を回転操作してナット部材２３の捩じ込み量に応じた圧縮コイルバネ４１の押圧力で押圧されることにより、スプール後端部１ｄの前面１ｄ´´との間で所望の圧接力が発生し、スプールの回転方向の摩擦結合力（制動力）が調節される。
【００２５】
また、前記押圧部材４０は、前記ラチェットリング３１の内面に形成された凹凸３１ａと係合するクリック板４２を保持しており、前記調節ツマミ２２を回転操作した際、クリック板４２が凹凸３１ａに係合しながらクリック音を発生するように構成されている。
【００２６】
次に、上記したように構成される魚釣用スピニングリールにおけるドラグ作動時の作用効果について説明する。  
前記スプール１はボールベアリング５を介してスプール軸２（スプール軸２に回り止め固定される支持部材３）に対して回転可能に支持されていることから、ドラグ力作動時における釣糸の引き出しをスムーズにすることが可能となる。また、スプール１の前部に装着されているドラグ装置２０の調節ツマミ２２を回転操作してドラグを締め付けると、スプール１には、前摩擦制動部３０を介して制動力が作用し、スプール１の回転に制動力（ドラグ力）を作用させることができる。この場合、前記スプール１の後端部１ｄ、及び前記ボールベアリング５は、対向部１０との間で隙間Ｇ，Ｇ´が存在するように配置されているため、制動力が作用し始める制動初期では、スプール１に対して、スプール後端側で摩擦抵抗を与えることはなく、滑らかなドラグの滑り出し性能が得られると共に、大きな負荷が作用していない状態では、安定したドラグ性能が得られるようになる。
【００２７】
そして、ドラグ装置２０の調節ツマミ２２をきつく締め付けた状態、すなわち、スプール１に対してリール本体側に向かう大きな負荷が作用すると、ボールベアリング５の外輪５ａには、スプール後端部の突起１ｆを介して大きな負荷が作用するが、スプールの後端部１ｄ（後端面１ｄ´）が対向部１０（摩擦板８）に接触することができるため、ボールベアリング５の破損や変形を防止することが可能となる。
【００２８】
また、本実施形態では、スプール軸２に対して筒状の支持部材３を嵌合固定し、この支持部材３に対向部１０を一体形成していることから、組み付け精度の向上が図れ、ボールベアリング５の位置決めや、スプール後端部１ｄに対する前記対向部１０との間の隙間Ｇを精度良く形成することが可能となる。
【００２９】
次に、本発明の別の実施形態について説明する。  
なお、以下の説明では、上記した実施形態と同一の構成については、同一の参照符号を付し、詳細な説明については省略する。
【００３０】
図２は、本発明に係る魚釣用スピニングリールの第２の実施の形態を示す図であり、図２（ａ）は、魚釣用スピニングリールのスプール部分を示す図、図２（ｂ）は、主要部を拡大して示す図である。
【００３１】
この実施形態では、スプール１のスプール後端部１ｄを、上記した実施形態と比較して多少、軸方向に厚肉化しており、この厚肉化した部分に、ボールベアリング５と隣接して同様なボールベアリング５Ａを配設している。この場合、ボールベアリング５Ａは、上記した実施形態の突起１ｆに外輪５ａ´を当て付けて位置決めされていることから、大きなドラグ力を作用させてもスプール５Ａには影響を及ぼすことはなく、上記した実施形態と同様、ボールベアリング５の破損や変形を防止することが可能となる。
【００３２】
また、本実施形態の構成によれば、スプール１を複数のボールベアリング５，５Ａで支持したことにより、よりスプールの回転が滑らかになり、安定したドラグ力を作用させることが可能となる。この場合、スプールと支持部材との間に配設されるベアリングの個数については、３個以上であっても良い。
【００３３】
図３は、本発明に係る魚釣用スピニングリールの第３の実施の形態を示す図であり、図３（ａ）は、魚釣用スピニングリールのスプール部分を示す図、図３（ｂ）は、主要部を拡大して示す図である。
【００３４】
この実施形態では、図２に示したボールベアリング５の外輪５ａに、スプール後端部１ｄの後端面１ｄ´が当接する鍔部５ｄを形成しており、鍔部５ｄと対向部１０（フランジ３ａ）との間に前記隙間Ｇを形成している。
【００３５】
このような構成では、大きなドラグ力を作用させた際、ボールベアリング５の端面（鍔部５ｄ）が対向部１０（フランジ３ａ）に接触することができるため、ボールベアリング５の破損や変形を防止することが可能となる。また、このような構成では、構造の簡略化が図れると共に、対向部１０との間で隙間Ｇを維持し易くなる。
【００３６】
図４は、本発明に係る魚釣用スピニングリールの第３の実施の形態を示す図であり、図４（ａ）は、魚釣用スピニングリールのスプール部分を示す図、図４（ｂ）は、主要部を拡大して示す図である。
【００３７】
この実施形態では、上記した実施形態のように、スプール軸２に外嵌固定される支持部材３を設けておらず、ボールベアリング５，５Ａの内輪を直接スプール軸２に支持している。また、対向部１０Ａは、スプール軸２に形成される段部２Ａに対して当て付けられるストッパ５０のスプール側の面５０ａによって構成されており、このストッパ５０に突起５０ｂを形成して、ボールベアリング５の内輪５ｂを位置決めしている。このため、ストッパ５０とボールベアリング５との間には、上述した第１の実施形態と同様、隙間Ｇ´が形成されている。
【００３８】
このように、スプール１を回転可能に支持するボールベアリング５，５Ａは、スプール軸２に対して直接、配設するようにしても良いし、対向部１０についても、スプール軸２に対して軸方向に移動しないように固定された部材（例えば、図に示すようなストッパ５０）によって構成するものであっても良い。
【００３９】
以上、本発明の実施形態について説明したが、本発明は、上記した実施形態に限定されることはなく、種々変形することが可能である。
【００４０】
本発明は、スプール軸２に対してスプール１をボールベアリング５によって回転可能に支持した構成において、スプール１の後端部１ｄ又はボールアリング５との間に隙間Ｇが存在するように対向部１０，１０Ａをスプール軸２に設ける（スプール軸２と一体化する）ことに特徴があり、それ以外の構成については、適宜変形することが可能である。
【００４１】
例えば、ドラグ装置２０の構成については、一例を示したに過ぎず、図に示したような構成に限定されることはない。また、図に示した実施形態では、スプール後端部１ｄの後端面１ｄ´と、ボールベアリング５の後端面には段差があり、それぞれ対向部との間で隙間Ｇ，Ｇ´を形成していたが、スプール後端部１ｄの後端面１ｄ´とボールベアリング５の後端面は面一状になって対向部との間で所定の隙間を生じさせる構成であっても良い。また、ボールベアリングを位置決め、保持する突起の配置構成例についても適宜変形することが可能である。さらに、スプール後端部１ｄの後端面１ｄ´又はボールベアリング５と対向する対向部については、スプール軸２と一体化される部材であれば良く、上記したように、一体化される部材そのもので対向部を形成しても良いし、一体化される部材に摩擦板等、異なる部材を取着して対向部を構成しても良い。
【符号の説明】
【００４２】
１  スプール
１Ａ  凹部
２  スプール軸
３  支持部材
５，５Ａ  ボールベアリング
８  摩擦板
１０，１０Ａ  対向部
２０  ドラグ装置
２２  調節ツマミ（調節体）
３０  摩擦制動部（制動部材）
Ｇ  隙間
【図１】
2014140318.tif 000003
【図２】
2014140318.tif 000004
【図３】
2014140318.tif 000005
【図４】
2014140318.tif 000006